(57)【要約】【課題】表示画像の劣化を抑制できるスクリーンを提供すること。【解決手段】入射された光に応じた画像を表示するスクリーンであって、光が出射される出射面（入射面２）は、それぞれ所定方向に沿う複数の仮想の基準線ＳＬ（ＳＬ１〜ＳＬ４）に応じて設けられる複数のレンズ列ＬＡ（ＬＡ１〜ＬＡ４）を有し、それぞれのレンズ列ＬＡ（ＬＡ１〜ＬＡ４）は、光を出射する複数のレンズ要素３により構成され、レンズ列ＬＡを構成する複数のレンズ要素３のうちの少なくともいずれかは、当該レンズ列ＬＡが沿う基準線ＳＬからずれて配置されている。【選択図】図５
2012185372.tif 000002
【特許請求の範囲】
【請求項１】
入射された光に応じた画像を表示するスクリーンであって、
前記光が出射される出射面は、それぞれ所定方向に沿う複数の仮想の基準線に応じて設けられる複数のレンズ列を有し、
それぞれの前記レンズ列は、前記光を出射する複数のレンズ要素を有し、
前記レンズ列を構成する前記複数のレンズ要素のうちの少なくともいずれかは、当該レンズ列が沿う前記基準線からずれて配置されている
ことを特徴とするスクリーン。
【請求項２】
請求項１に記載のスクリーンにおいて、
前記レンズ列が沿う前記基準線と、当該基準線に隣り合う他の前記基準線との間には、当該基準線及び前記他の基準線に沿う仮想線が設定され、
前記レンズ列を構成するそれぞれの前記レンズ要素は、当該レンズ列が沿う前記基準線と前記仮想線とのいずれかの線上に中心が位置するように配置されている
ことを特徴とするスクリーン。
【請求項３】
請求項１又は請求項２に記載のスクリーンにおいて、
前記レンズ列におけるそれぞれの前記レンズ要素の配列は、それぞれの前記レンズ列で略同じである
ことを特徴とするスクリーン。
【請求項４】
請求項１から請求項３のいずれかに記載のスクリーンにおいて、
前記レンズ列におけるそれぞれの前記レンズ要素の配列は、当該レンズ列が沿う前記基準線に沿う方向においてランダムである
ことを特徴とするスクリーン。
【請求項５】
請求項１から請求項４のいずれかに記載のスクリーンにおいて、
前記複数の基準線は、前記出射面及び当該出射面の延長面上に設定された基準点を中心とする円弧状にそれぞれ設定されている
ことを特徴とするスクリーン。
【発明の詳細な説明】
【技術分野】
【０００１】
本発明は、画像が投射されるスクリーンに関する。
【背景技術】
【０００２】
従来、光が入射される入射面に、入射された光をそれぞれ反射させるレンズ要素が複数形成されたスクリーンが知られている（例えば、特許文献１参照）。
この特許文献１に記載のスクリーンでは、基板シートの表面に同一形状の複数の単位形状部が二次元的に規則的に配置され、当該単位形状部は、半球状又は凸レンズ状の凸状部により構成されている。これら単位形状部の表面には、予め想定された位置に配置されるプロジェクターから光が入射される位置に反射面が形成されている。そして、当該スクリーンの斜め前方から投影された投影光は、各単位形状部の反射面で拡散反射され、これにより、投影画像が広い観察範囲で観察可能となる。
【先行技術文献】
【特許文献】
【０００３】
【特許文献１】特開２００６−２１５１６２号公報
【発明の概要】
【発明が解決しようとする課題】
【０００４】
しかしながら、前述の特許文献１に記載のスクリーンでは、単位形状部が二次元的に規則的に配列されているため、隣り合う単位形状部のそれぞれから出射されて所定の観察位置に到達する光の光路が略同じとなり、投影画像にモアレ（干渉縞）やシンチレーションが発生しやすい。このため、表示された画像が劣化しやすいという問題がある。
【０００５】
本発明の目的は、表示画像の劣化を抑制できるスクリーンを提供することである。
【課題を解決するための手段】
【０００６】
前記した目的を達成するために、本発明のスクリーンは、入射された光に応じた画像を表示するスクリーンであって、前記光が出射される出射面は、それぞれ所定方向に沿う複数の仮想の基準線に応じて設けられる複数のレンズ列を有し、それぞれの前記レンズ列は、前記光を出射する複数のレンズ要素を有し、前記レンズ列を構成する前記複数のレンズ要素のうちの少なくともいずれかは、当該レンズ列が沿う前記基準線からずれて配置されていることを特徴とする。
【０００７】
このようなレンズ要素としては、凹状又は凸状の曲面を有する構成を例示できる。
本発明によれば、基準線に沿うレンズ列を構成する複数のレンズ要素のうち、少なくともいずれかは、当該基準線からずれて配置されている。これによれば、基準線からずれて配置されたレンズ要素から出射されて所定の観察位置に到達する光路の長さと、当該レンズ要素近傍の他のレンズ要素のうち、基準線からずれていないレンズ要素から出射されて所定の観察位置に到達する光路の長さとを異ならせることができる。すなわち、基準線からずれていないレンズ要素と、基準線からずれたレンズ要素との間の距離は、基準線からずれていないレンズ要素間の距離に対して異なるので、これらレンズ要素から出射される光の干渉を抑制できる。従って、モアレ（干渉縞）及びシンチレーションの発生を抑制でき、スクリーンに投射されて表示される画像の劣化を抑制できる。
【０００８】
本発明では、前記レンズ列が沿う前記基準線と、当該基準線に隣り合う他の前記基準線との間には、当該基準線及び前記他の基準線に沿う仮想線が設定され、前記レンズ列を構成するそれぞれの前記レンズ要素は、当該レンズ列が沿う前記基準線と前記仮想線とのいずれかの線上に中心が位置するように配置されていることが好ましい。
【０００９】
このようなレンズ要素の配列としては、１つの基準線に沿う１列のレンズ列を構成する複数のレンズ要素のうち、一部のレンズ要素の中心が当該基準線上に位置するように当該一部のレンズ要素が配置され、他の一部のレンズ要素の中心が仮想線上に位置するように当該他の一部のレンズ要素が配置される配列でもよく、１列のレンズ列を構成する全てのレンズ要素の中心が仮想線上に位置するように当該全てのレンズ要素が配置される配列でもよい。
本発明によれば、１列のレンズ列を構成するレンズ要素のうち、少なくとも一部のレンズ要素の中心が、基準線と当該基準線との間に設定された仮想線上に位置する。これによれば、ある１つのレンズ列において、所定の観察位置に到達する光の光路の長さが異なるレンズ要素を確実に形成できる。従って、表示画像の劣化を確実に抑制できる。
【００１０】
ここで、このようなレンズ要素を有するスクリーンは、レンズ要素に応じた凹状のレンズ型を有する母型を製造し、当該母型、或いは、当該母型から製造された中間型のレンズ型を基材に転写することにより製造される場合がある。この際、母型にレンズ型をエッチングにより形成する場合には、レーザー照射等により、母型となる原板の表面に形成されたマスク層にエッチング液を注入する孔を前述の基準線に沿って形成する。
【００１１】
しかしながら、１列のレンズ列を構成するレンズ要素の数が比較的多く、また、基準線からのレンズ要素のずれ量がそれぞれランダムに設定されていると、マスク層に孔を形成する孔形成装置の位置調整操作が複雑になる。
これに対し、仮想線及び基準線に沿って孔形成装置の位置調整を行えばよいため、当該孔形成装置の位置調整操作を簡略化できる。従って、本発明のスクリーンの製造工程を簡略化できる。
【００１２】
本発明では、前記レンズ列におけるそれぞれの前記レンズ要素の配列は、それぞれの前記レンズ列で略同じであることが好ましい。
本発明によれば、各レンズ列におけるそれぞれのレンズ要素の配列が略同じであるので、スクリーン全体で当該各レンズ列が対応する基準線に沿うこととなる。これによれば、視野角及び明るさ等に基づいて設定された基準線に略一致するように、レンズ列が形成されるので、スクリーンの視野角及び明るさ等をほぼ設計値どおりとすることができる。
【００１３】
本発明では、前記レンズ列におけるそれぞれの前記レンズ要素の配列は、当該レンズ列が沿う前記基準線に沿う方向においてランダムであることが好ましい。
本発明によれば、１列のレンズ列を構成する複数のレンズ要素は、当該レンズ列が沿う基準線に交差する方向にばらついて配置されるだけでなく、当該基準線に沿う方向にもばらついて配置される。これによれば、スクリーン全体において各レンズ要素の中心間距離を一層ばらつかせることができる。従って、モアレ及びシンチレーションの発生をより一層確実に抑制でき、ひいては、表示画像の劣化をより一層確実に抑制できる。
【００１４】
本発明では、前記複数の基準線は、前記出射面及び当該出射面の延長面上に設定された基準点を中心とする円弧状にそれぞれ設定されていることが好ましい。
本発明によれば、スクリーンに入射される光の光源（例えば、プロジェクター等）が基準点近傍に設定されている場合には、当該基準点を中心とする円弧状に設定された基準線に沿うレンズ列を構成する各レンズ要素には、略同じ光路の長さ、及び、略同じ入射角で当該光が入射される。これによれば、各レンズ要素により、所定の観察位置に光を出射しやすくなるので、当該観察位置から観察した場合のスクリーンの明るさを向上できる。
【図面の簡単な説明】
【００１５】
【図１】本発明の第１実施形態に係るスクリーンを示す側面図。
【図２】前記実施形態におけるスクリーンを示す正面図。
【図３】前記実施形態におけるレンズ要素を示す斜視図。
【図４】前記実施形態におけるレンズ要素を示す斜視図。
【図５】（Ａ）前記実施形態におけるレンズ要素の配列パターンを示す入射面の拡大図。（Ｂ）前記実施形態における入射面の断面図。
【図６】（Ａ）本発明の第２実施形態に係るスクリーンのレンズ要素の配列パターンを示す入射面の拡大図。（Ｂ）前記実施形態における入射面の断面図。
【図７】前記実施形態におけるレンズ列を示す模式図。
【発明を実施するための形態】
【００１６】
〔第１実施形態〕
以下、本発明の第１実施形態について図面に基づいて説明する。
図１は、本実施形態に係るスクリーン１Ａを示す側面図である。
本実施形態に係るスクリーン１Ａは、図１に示すように、当該スクリーン１Ａの正面側下方に位置するプロジェクター９から投射された光を正面側に反射して、当該光により形成される画像を表示する。具体的に、スクリーン１Ａの正面は、投射光ＰＬが入射される入射面２であり、当該入射面２の法線方向ＮＭに入射された投射光ＰＬを反射させる。これにより、当該法線方向ＮＭに設定された観察位置ＶＰに位置する観察者ＶＲは、スクリーン１Ａに表示された画像を観察できる。なお、入射面２は、入射された光を反射させて当該光を出射する出射面ということもできる。
【００１７】
図２は、スクリーン１Ａを示す正面図である。
入射面２は、図２に示すように、正面視略長方形状に形成されている。この入射面２は、当該入射面２の延長面２Ａ上に予め設定された基準点ＳＰを中心とした所定範囲内の領域２１（図２における斜線部分）と、当該領域２１外の領域２２とを有する。これら各領域２１，２２には、後述するレンズ要素３（図３及び図４参照）が配置されている。
具体的に、領域２１，２２内には、それぞれ基準点ＳＰを中心とする同心円（円及び楕円を含む）の一部を構成する円弧状の仮想の基準線ＳＬに沿って、第１凹部４（図３参照）からなるレンズ要素３Ａが配置される。また、領域２２内には、第１凹部４と、当該第１凹部４に対して基準点ＳＰの放射方向基端側（基準点ＳＰ寄りの位置）に隣接して形成される第２凹部５（図４参照）とにより構成されるレンズ要素３Ｂが配置される。
【００１８】
これら領域２１，２２に設定される基準線ＳＬの間隔は、基準点ＳＰから離れるに従って大きくなるように設定されており、これにより、基準点ＳＰから離れるに従って、レンズ要素３Ａ，３Ｂの中心間距離は大きくなる。また、レンズ要素３Ａ，３Ｂの基準点ＳＰからの放射方向の寸法も、当該基準点ＳＰから離れるに従って大きくなるように設定されている。
なお、図２においては、基準線ＳＬのうち、代表的な基準線ＳＬを図示しているが、実際には、より細かい間隔で当該基準線ＳＬは設定されている。また、図２においては、図示された基準線ＳＬの符号も一部省略している。更に、基準点ＳＰは、本実施形態では、入射面２の中心点ＣＰを通る仮想の直線である中心線ＣＬ上に設定されている。
【００１９】
〔第１凹部の構成〕
図３は、レンズ要素３Ａを示す斜視図である。
第１凹部４により構成されるレンズ要素３Ａは、前述の基準線ＳＬに沿って形成され、これにより、領域２１には、当該基準線ＳＬに沿う複数のレンズ要素３Ａにより構成されるレンズ列が複数形成される。
このようなレンズ要素３Ａは、図３に示すように、投射光が入射される所定の曲率の凹曲面をそれぞれ有し、当該凹曲面には、反射層４１が形成されている。この反射層４１が形成される領域内には、プロジェクター９から入射される投射光を入射面２の法線方向に反射可能な有効反射領域ＡＲが含まれる。このような反射層４１は、高反射性を有する白色塗料をスプレー等で塗布するか、或いは、アルミや銀を斜方から蒸着する等して形成される。
【００２０】
〔第２凹部の構成〕
図４は、レンズ要素３Ｂを示す斜視図である。
第１凹部４及び第２凹部５により構成されるレンズ要素３Ｂは、前述の基準線ＳＬに沿って形成され、これにより、領域２２には、当該基準線ＳＬに沿う複数のレンズ要素３Ｂにより構成されるレンズ列が複数形成される。
これらのうち、第２凹部５は、図４に示すように、第１凹部４に対して基準点ＳＰからの放射方向（例えば、図４に示すＡ方向）基端側に当該第１凹部４に隣接して形成されている。これら第２凹部５は、当該第１凹部４（詳しくは、有効反射領域ＡＲ）に、投射光を入射させる機能を有する。
【００２１】
ここで、図１に示したように、入射面２の下側に位置するプロジェクター９から投射光ＰＬが当該入射面２に斜方入射される場合、投射光ＰＬの軌跡（実線）と入射面２の法線方向ＮＭ（点線）との角度は、投射光の起点（プロジェクター９の設置位置）から当該投射光が入射される入射面２上の位置が離れるに従って大きくなる。図１の例では、当該角度は、下側から上側に向かうに従って大きくなる。
【００２２】
このため、第２凹部５が形成されていないと、ある第１凹部４の有効反射領域ＡＲに入射される予定の投射光が、当該第１凹部４の放射方向基端側に位置する他の第１凹部４の端縁により遮られてしまう。この場合、第１凹部４の有効反射領域ＡＲに投射光が入射されないため、スクリーンの正面側の必要な範囲全体に投射光が反射されなくなり、当該スクリーンの視野角を確保することが困難になる。
このような問題から、第１凹部４における基準点ＳＰからの放射方向基端側に、同じレンズ要素３Ｂを構成する第２凹部５を形成することにより、基準点ＳＰから離れた位置の第１凹部４における有効反射領域ＡＲに、投射光を適切に入射させることができ、スクリーン１Ａの視野角を確保することができる。
【００２３】
〔レンズ要素の配列〕
図５（Ａ）は、レンズ要素３の配列パターンを示す入射面２の拡大図であり、図５（Ｂ）は、基準点ＳＰからの放射方向における入射面２の断面図である。なお、図５においては、レンズ要素３を円形の要素として図示するが、見易さを考慮して、一部のレンズ要素３に対してのみ符号を付す。
１つの基準線ＳＬに沿って配列される複数のレンズ要素３により構成されるレンズ列においては、当該レンズ列を構成する全てのレンズ要素３が基準線ＳＬ上に中心が位置するわけではなく、当該レンズ列を構成するレンズ要素３のうち少なくともいずれかは、中心が基準線ＳＬからずれて配置される。そして、本実施形態では、図５に示すように、全てレンズ要素３の中心が基準線ＳＬ上に位置するレンズ列ＬＡと、全てのレンズ要素３の中心が隣り合う他の基準線ＳＬとの間に設定された仮想線ＶＬ上に位置するレンズ列ＬＡとが、入射面２に形成されている。
【００２４】
具体的に、図５（Ａ）に示す例では、基準線ＳＬ（ＳＬ１〜ＳＬ４）のうち、基準線ＳＬ１，ＳＬ２，ＳＬ４に沿うレンズ列ＬＡ（ＬＡ１，ＬＡ２，ＬＡ４）においては、対応する基準線ＳＬ上に全てのレンズ要素３の中心が位置するように、当該全てのレンズ要素３が配置される。すなわち、基準線ＳＬ１に沿うレンズ列ＬＡ１を構成する全てのレンズ要素３の中心は当該基準線ＳＬ１上に位置し、基準線ＳＬ２，ＳＬ４に沿うレンズ列ＬＡ２，ＬＡ４を構成する全てのレンズ要素３の中心も、それぞれ基準線ＳＬ２，ＳＬ４上に位置する。
一方、基準線ＳＬ３に沿うレンズ列ＬＡ３においては、全てのレンズ要素３の中心が、基準線ＳＬ３と、当該基準線ＳＬ３に隣り合う基準線ＳＬ２との間に設定された仮想線ＶＬ上に位置するように、当該全てのレンズ要素３が配置される。このような仮想線ＶＬは、当該仮想線ＶＬを挟む基準線ＳＬ２，ＳＬ３に沿うように設定される。
【００２５】
これにより、図５（Ａ）及び図５（Ｂ）に示すように、レンズ列ＬＡ１，ＬＡ２間の距離を「Ｐ」とした場合、レンズ列ＬＡ２，ＬＡ３間の距離は、「Ｐ」より小さい「Ｐ’」となる。また、レンズ列ＬＡ３，ＬＡ４間の距離は、「Ｐ」より大きい「Ｐ’’」となる。従って、基準点ＳＰからの放射方向（図５（Ａ）における矢印Ａ方向）において隣り合うレンズ要素３の中心間距離にばらつきを生じさせることができる。
【００２６】
また、各レンズ列ＬＡ（ＬＡ１〜ＬＡ４）を構成する各レンズ要素３は、基準線ＳＬ（ＳＬ１〜ＳＬ４）に沿う方向においてはランダムに配置される。このため、当該各レンズ要素３の中心間距離にばらつきを生じさせることができる。
なお、本実施形態では、各レンズ列ＬＡにおいて、対応する基準線ＳＬに沿う方向の各レンズ要素３の配列をランダムとしたが、各レンズ列ＬＡにおいて、当該各レンズ要素３の配列を揃えてもよい。すなわち、１つのレンズ列ＬＡにおいては、各レンズ要素３の基準線ＳＬに沿う方向の配列はランダムであるが、各レンズ列ＬＡでは、同じ配列パターンによりレンズ要素３が配列されていてもよい。
【００２７】
以上のように、入射面２に配置された隣り合うレンズ要素３の中心間距離（前記放射方向における中心間距離及び基準線ＳＬに沿う方向における中心間距離）にばらつきを生じさせることができるので、各レンズ要素３により反射されて観察位置ＶＰに到達する光の光路の長さにばらつきを生じさせることができ、光の干渉を抑制できる。従って、入射面２により反射されて視認される投射画像にモアレ（干渉縞）やシンチレーションが発生することを抑制できる。
【００２８】
なお、本実施形態では、基準線ＳＬ３に沿うレンズ列ＬＡ３を構成するレンズ要素３の中心が位置する仮想線ＶＬを、基準線ＳＬ３と、当該基準線ＳＬ３から前記放射方向先端側に位置する基準線ＳＬ２との間に設定した。しかしながら、これに限らず、基準線ＳＬ３と、当該基準線ＳＬから放射方向基端側に位置する基準線ＳＬ４との間に設定してもよい。
【００２９】
また、基準線ＳＬと仮想線ＶＬとの距離は、当該基準線ＳＬと、この基準線ＳＬに対して隣り合う基準線ＳＬに至るまでの距離の５０％以下とすることが好ましい。例えば、図５（Ａ）及び図５（Ｂ）に示した例では、基準線ＳＬ３と仮想線ＶＬとの距離は、基準線ＳＬ３と基準線ＳＬ２との距離「Ｐ」の５０％以下とすることが好ましい。これは、当該距離「Ｐ」の５０％を超えると、レンズ列ＬＡ３の各レンズ要素３が、基準線ＳＬ２に沿うレンズ列ＬＡ２のレンズ要素３に干渉してしまい、有効反射領域ＡＲの面積が損なわれ、スクリーン１Ａの輝度が低下する可能性があるためである。
更に、より好ましくは、基準線ＳＬと仮想線ＶＬとの距離は、当該基準線ＳＬと、この基準線ＳＬに対して隣り合う基準線ＳＬに至るまでの距離の略１０％である。このような距離とすることにより、各レンズ要素３において有効反射領域ＡＲの面積を確保でき、スクリーン１Ａの輝度低下を抑制できる他、筋状のむらが生じることを抑制できる。
【００３０】
以上説明した本実施形態に係るスクリーン１Ａによれば、以下の効果がある。
それぞれ対応する基準線ＳＬに沿うレンズ列ＬＡのうち、基準線ＳＬ３に沿うレンズ列ＬＡ３を構成するレンズ要素３は、当該基準線ＳＬ３からずれて配置されている。これによれば、レンズ列ＬＡ３のレンズ要素３と、当該レンズ要素３に前記放射方向において隣り合うレンズ要素３（レンズ列ＬＡ２，ＬＡ４において対応するレンズ要素３）との中心間距離は、それぞれ基準線ＳＬ１，ＳＬ２上に中心が位置するレンズ要素３（レンズ列ＬＡ１，ＬＡ２のレンズ要素３）の中心間距離と異ならせることができる。これにより、レンズ列ＬＡ３のレンズ要素３により反射されて観察位置ＶＰに到達する光路の長さと、レンズ列ＬＡ２，ＬＡ４において当該レンズ要素３に隣り合うレンズ要素３により反射されて観察位置ＶＰに到達する光路の長さを異ならせることができる。従って、これらレンズ要素３から出射される光の干渉を抑制できるので、モアレ（干渉縞）及びシンチレーションの発生を抑制でき、表示画像の劣化を抑制できる。
【００３１】
基準線ＳＬ３からずれて配置されるレンズ要素３（レンズ列ＬＡ３を構成するレンズ要素３）は、当該基準線ＳＬ３と、この基準線ＳＬ３に隣り合う基準線ＳＬ２との間に設定された仮想線ＶＬ上に中心が位置する。このようなレンズ要素３を成形するための母型を製造する際に、当該レンズ要素３の形成位置に応じた孔をマスク層に形成する必要がある。この際、基準線ＳＬ又は仮想線ＶＬに沿って孔形成装置の位置調整を行いつつ、当該孔を形成することができるので、当該孔形成装置の位置調整操作を簡略化できる。従って、スクリーン１Ａの製造工程を簡略化できる。
【００３２】
１列のレンズ列ＬＡを構成する複数のレンズ要素３は、当該レンズ列ＬＡが沿う基準線ＳＬに交差する方向（前記放射方向）に当該基準線ＳＬからばらついて配置されるだけでなく、当該基準線ＳＬに沿う方向にもばらついて配置される。これによれば、スクリーン１Ａ全体でそれぞれのレンズ要素３の中心間距離を一層ばらつかせることができる。従って、モアレ及びシンチレーションの発生をより一層確実に抑制でき、ひいては、表示画像の劣化をより一層確実に抑制できる。
【００３３】
なお、基準線ＳＬに対して配置される各レンズ要素３の配列パターンを、各レンズ列ＬＡにおいて略同じとすることもできる。この場合には、視野角及び明るさ等に基づいて設定された各基準線ＳＬに応じて、各レンズ列ＬＡのレンズ要素３が配置されるので、スクリーン１Ａの視野角及び明るさ等をほぼ設計値どおりとすることができる。
【００３４】
スクリーン１Ａに入射される光の光源の位置（すなわち、プロジェクター９の設置位置）が基準点ＳＰ近傍に設定されている場合、各基準線ＳＬに沿うレンズ列ＬＡを構成する各レンズ要素３には、略同じ光路の長さ、及び、略同じ入射角で当該光が入射される。これによれば、各レンズ要素３により、観察位置ＶＰに光を反射させやすくなるので、当該観察位置ＶＰから観察した場合のスクリーン１Ａの明るさを向上できる。
【００３５】
〔第２実施形態〕
以下、本発明の第２実施形態に係るスクリーンについて説明する。
本実施形態に係るスクリーンは、前述のスクリーン１Ａと同様の構成及び機能を有する。ここで、当該スクリーン１Ａでは、基準線ＳＬ３に沿うレンズ列ＬＡ３を構成する全てのレンズ要素３の中心は、仮想線ＶＬ上に位置していた。これに対し、本実施形態に係るスクリーンでは、基準線に沿うレンズ列は、基準線上に中心が位置するレンズ要素と、仮想線上に中心が位置するレンズ要素とから構成されている。この点で、本実施形態に係るスクリーンと、スクリーン１Ａとは相違する。なお、以下の説明では、既に説明した部分と同一または略同一である部分については、同一の符号を付して説明を省略する。
【００３６】
図６（Ａ）は、本実施形態に係るスクリーン１Ｂの入射面２に配置されたレンズ要素３の配列パターンを示す図であり、図６（Ｂ）は、基準点ＳＰからの放射方向における入射面２の断面図である。なお、図６においては、レンズ要素３を円形の要素として図示するが、見易さを考慮して、一部のレンズ要素３に対してのみ符号を付す。
本実施形態に係るスクリーン１Ｂは、レンズ要素３の配列パターンが異なる他は、前述のスクリーン１Ａと同様の構成及び機能を有する。
このスクリーン１Ｂの入射面２には、図６（Ａ）に示すように、各基準線ＳＬ（ＳＬ１〜ＳＬ４）に沿ってそれぞれ配列される複数のレンズ要素３により、複数のレンズ列ＬＢ（ＬＢ１〜ＬＢ４）が形成されている。そして、それぞれのレンズ列ＬＢを構成する各レンズ要素３は、対応する基準線ＳＬに対してずれて配置されている。
【００３７】
図７は、レンズ列ＬＢ１，ＬＢ２を示す模式図である。
具体的に、レンズ列ＬＢを構成するレンズ要素３は、対応する基準線ＳＬと当該基準線ＳＬに隣り合う基準線ＳＬとの間に設定された仮想線ＶＬ、及び、当該基準線ＳＬのいずれかの線状に中心が位置するように配置される。
例えば、図７に示す例では、基準線ＳＬ２に沿うレンズ列ＬＢ２を構成するレンズ要素３（３２１〜３２６）のうち、レンズ要素３２２，３２５の中心は、当該基準線ＳＬ２上に位置する。また、レンズ要素３２３，３２６の中心は、基準線ＳＬ２と当該基準線ＳＬ２に対して前記放射方向先端側に隣り合う基準線ＳＬ１との間に設定された仮想線ＶＬ２１上に位置する。更に、レンズ要素３２１，３２４の中心は、基準線ＳＬ２と当該基準線ＳＬ２に対して前記放射方向基端側に隣り合う基準線ＳＬ３との間に設定された仮想線ＶＬ２２上に位置する。
【００３８】
同様に、基準線ＳＬ１に沿うレンズ列ＬＢ１を構成するレンズ要素３（３１１〜３１６）のうち、レンズ要素３１２，３１５の中心は、当該基準線ＳＬ１上に位置する。また、レンズ要素３１３，３１６の中心は、基準線ＳＬ１と当該基準線ＳＬ１に対して前記放射方向先端側に隣り合う基準線ＳＬ（図示省略）との間に設定された仮想線ＶＬ１１上に位置する。更に、レンズ要素３１１，３１４の中心は、基準線ＳＬ１と当該基準線ＳＬ１に対して前記放射方向基端側に隣り合う基準線ＳＬ２との間に設定された仮想線ＶＬ１２上に位置する。
【００３９】
以上のように、１つのレンズ列ＬＢを構成するレンズ要素３の少なくともいずれかは、対応する基準線ＳＬに対して中心がずれ、当該中心が当該基準線ＳＬと隣り合う基準線ＳＬとの間に設定された仮想線上に位置するように配置される。これにより、同じレンズ列ＬＢにおいて隣り合うレンズ要素３の中心間距離が一様でなく複数となり、当該中心間距離にばらつきを生じさせることができるので、投射画像にモアレ（干渉縞）やシンチレーションが生じることを抑制できる。
【００４０】
ここで、基準線ＳＬに対する仮想線ＶＬのずれ量は、前述のスクリーン１Ａと同様に、基準線ＳＬから当該基準線ＳＬに隣り合う基準線ＳＬまでの距離の５０％以下（より好ましくは略１０％）に設定されている。しかしながら、当該仮想線ＶＬのずれ量は、各基準線ＳＬで略同じである。このため、あるレンズ列ＬＢを構成するレンズ要素３と、当該レンズ要素３に対して前記放射方向で隣り合うレンズ要素３との中心間距離は、当該レンズ列ＬＢにおいて略同じである。
具体的に、基準線ＳＬ２に対する仮想線ＶＬ２１のずれ量と、基準線ＳＬ１に対する仮想線ＶＬ１１のずれ量とは同じである。また、基準線ＳＬ２に対する仮想線ＶＬ２２のずれ量と、基準線ＳＬ１に対する仮想線ＶＬ１２のずれ量とは同じである。
【００４１】
このため、基準線ＳＬ２と基準線ＳＬ１との距離を「Ｐ」とすると、当該基準線ＳＬ２上に中心が位置するレンズ要素３２２と、基準線ＳＬ１上に中心が位置し、かつ、当該レンズ要素３２２に対して前記放射方向で隣り合うレンズ要素３１２との中心間距離は「Ｐ」である。
また、仮想線ＶＬ２１上に中心が位置するレンズ要素３２３と、仮想線ＶＬ１１上に中心が位置し、かつ、レンズ要素３２３に対して前記放射方向で隣り合うレンズ要素３１３との中心間距離は「Ｐ」となる。
【００４２】
更に、仮想線ＶＬ２２上に中心が位置するレンズ要素３２１と、仮想線ＶＬ１２上に中心が位置し、かつ、当該レンズ要素３２１に対して前記放射方向に隣り合うレンズ要素３１１との中心間距離は「Ｐ」となる。
同様に、レンズ要素３２４とレンズ要素３１４との中心間距離、レンズ要素３２５とレンズ要素３１５との中心間距離、及び、レンズ要素３２６とレンズ要素３１６との中心間距離も、それぞれ同じ「Ｐ」となる。
【００４３】
従って、図６（Ａ）、図６（Ｂ）及び図７に示すように、あるレンズ列ＬＢを構成するレンズ要素３と、当該レンズ要素３に対して前記放射方向に隣り合うレンズ要素３との中心間距離は、同じレンズ列ＬＢにおいて略同じ値となる。
このため、ある１列のレンズ列ＬＢにおけるレンズ要素３の配列を見た場合、当該各レンズ要素３は、基準線ＳＬに沿う方向においてはランダムに配置されるが、当該基準線ＳＬに沿う方向の配列パターンは、各レンズ列ＬＢで同じとなる。具体的に、図６（Ａ）に示すように、各レンズ列ＬＢ１〜ＬＢ４におけるレンズ要素３の配列パターンは、それぞれ略同じとなる。
【００４４】
しかしながら、図２に示したように、基準点ＳＰに近い位置の基準線ＳＬの軌跡は真円の一部を構成する円弧に近いが、基準点ＳＰから離れた位置の基準線ＳＬの軌跡は、入射面２の長手方向に長辺を有する楕円の一部を構成する円弧に近くなる。そして、当該長辺の長さは、基準線ＳＬの位置が基準点ＳＰから離れるに従って大きくなる。換言すると、基準線ＳＬの軌跡は、当該基準線ＳＬの位置が基準点ＳＰから離れるに従って、入射面２の長手方向に延出する直線に近くなる。
このため、各レンズ列ＬＢにおいては、レンズ要素３の位置が中心線ＣＬ（図２参照）から外側に向かうに従って、当該レンズ要素３に対して前記放射方向に隣り合うレンズ要素３との中心間距離は、僅かに大きくなる。
【００４５】
以上説明した本実施形態に係るスクリーン１Ｂによれば、前述のスクリーン１Ａと同様の効果を奏することができる他、以下の効果がある。
基準線ＳＬ２に沿う各レンズ列ＬＢ２には、当該基準線ＳＬ２上に中心が位置するレンズ要素３２２，３２５の他、基準線ＳＬ２と、当該基準線ＳＬ２に対して前記放射方向先端側で隣り合う基準線ＳＬ１との間に設定された仮想線ＶＬ２１上に中心が位置するレンズ要素３２３，３２６、及び、基準線ＳＬ２と、当該基準線ＳＬ２に対して前記放射方向基端側で隣り合う基準線ＳＬ３との間に設定された仮想線ＶＬ２２上に中心が位置するレンズ要素３２１，３２４が含まれる。これによれば、前述のスクリーン１Ａに比べ、レンズ列ＬＢを構成するレンズ要素３の配列を基準線ＳＬに対して更にばらつかせることができるので、各レンズ要素３の中心間距離を更にばらつかせることができる。従って、投射画像にモアレ（干渉縞）やシンチレーションが生じることをより一層抑制でき、表示される画像の劣化をより確実に抑制できる。
【００４６】
〔実施形態の変形〕
本発明は前述の実施形態に限定されるものではなく、本発明の目的を達成できる範囲での変形、改良等は本発明に含まれるものである。
前記各実施形態では、各レンズ列ＬＡ，ＬＢにおいて、対応する基準線ＳＬに沿う方向のレンズ要素３の配列パターンはランダムであるとしたが、本発明はこれに限らない。すなわち、１つのレンズ列において、隣り合うレンズ要素３間の距離がそれぞれ同じとなるように各レンズ要素３を配置してもよく、また、所定の規則性を持たせ、周期的な繰り返し配列となるように、各レンズ要素３を配列してもよい。
【００４７】
前記第２実施形態では、レンズ列ＬＢにおけるレンズ要素３の配列パターンは、各レンズ列ＬＢで略同じであるとしたが、本発明はこれに限らない。すなわち、レンズ列ＬＡの場合と同様に、レンズ要素３の配列パターンを、各レンズ列ＬＢでそれぞれ異ならせてもよい。また、前述のように、レンズ要素３の配列パターンを、レンズ列ＬＡのそれぞれで略同じとしてもよい。
【００４８】
前記第２実施形態では、各レンズ列ＬＢを構成するレンズ要素３は、対応する基準線ＳＬと当該基準線ＳＬに隣り合う基準線ＳＬとの間に設定された仮想線ＶＬと、当該対応する基準線ＳＬとから選択された線上に中心が位置するように配列されるとしたが、本発明はこれに限らない。換言すると、前記第２実施形態では、１列のレンズ列ＬＢにおける各レンズ要素３の前記放射方向の位置は、ランダムに設定されるとしたが、本発明はこれに限らない。すなわち、当該各レンズ要素３を、所定の規則性を持たせ、周期的な繰り返しとなるように配列してもよい。例えば、前述のレンズ列ＬＢ２を構成する各レンズ要素３を、当該レンズ要素３の中心が、仮想線ＶＬ２１、基準線ＳＬ２、仮想線ＶＬ２２、基準線ＳＬ、仮想線ＶＬ２１、…、の各線上に順に位置するように配列して、各レンズ要素３を基準線ＳＬに対してジグザグとなるように配列してもよい。また、当該各レンズ要素３の中心が仮想線ＶＬ２１、基準線ＳＬ２、仮想線ＶＬ２２、仮想線ＶＬ２１、…、の各線上に順に位置するようにレンズ要素３を配列してもよい。更に、各レンズ要素３の中心が仮想線ＶＬ２２、基準線ＳＬ２、仮想線ＶＬ２１、仮想線ＶＬ２２、の各線上に順に位置するように、レンズ要素３を配列してもよい。他のレンズ列ＬＢにおいても同様である。
【００４９】
前記第２実施形態では、基準線ＳＬ２と、当該基準線ＳＬ２に前記放射方向先端側において隣り合う基準線ＳＬ１との間に１つの仮想線ＶＬ２１を設定し、基準線ＳＬ２と、当該基準線ＳＬ２に前記投射方向基端側において隣り合う基準線ＳＬ３との間に１つの仮想線ＶＬ２２を設定したが、本発明はこれに限らない。すなわち、基準線ＳＬに応じて設定される仮想線ＶＬは、当該基準線ＳＬの放射方向先端側にのみ設定されてもよく、或いは、放射方向基端側にのみ設定されてもよい。更に、基準線ＳＬに応じて設定される仮想線ＶＬの数も、適宜設定可能である。
【００５０】
前記各実施形態では、基準線ＳＬは、基準点ＳＰを中心とする円（真円及び楕円を含む）の一部を構成する円弧状に設定されていたが、本発明はこれに限らない。すなわち、入射面において各基準線が互いに平行に設定されていてもよい。また、当該基準線ＳＬの形状も、円弧及び曲線と、直線との組み合わせであってもよく、基準点を中心として間隔を異にして設定されていればよい。
【００５１】
前記各実施形態では、基準線ＳＬの中心となる基準点ＳＰは、入射面２の延長面２Ａ上に設定されるとしたが、本発明はこれに限らない。すなわち、入射面２上に基準点ＳＰを設定してもよい。
前記各実施形態では、スクリーン１Ａ，１Ｂは、凹状のレンズ要素３を有する構成であったが、本発明はこれに限らない。すなわち、当該凹状のレンズ要素３に代えて、凸状のレンズ要素を有するスクリーンとして構成してもよい。
【００５２】
前記各実施形態では、スクリーン１Ａ，１Ｂは、正面側に位置するプロジェクター９から投射された光を正面側に反射する反射型スクリーンとして構成されていたが、本発明はこれに限らない。すなわち、背面側から入射される光を透過させて、当該光により形成される画像を表示する透過型スクリーンとして構成してもよい。この場合、スクリーンの背面が入射面として機能し、正面が出射面として機能する。
【産業上の利用可能性】
【００５３】
本発明は、画像を表示するスクリーンに好適に利用できる。
【符号の説明】
【００５４】
１Ａ，１Ｂ…スクリーン、２…入射面（出射面）、３（３Ａ，３Ｂ）…レンズ要素、ＬＡ（ＬＡ１〜ＬＡ４），ＬＢ（ＬＢ１〜ＬＢ４）…レンズ列、ＳＬ（ＳＬ１〜ＳＬ４）…基準線、ＳＰ…基準点、ＶＬ（ＶＬ１１，ＶＬ１２，ＶＬ２１，ＶＬ２２）…仮想線。
【図１】
2012185372.tif 000003
【図２】
2012185372.tif 000004
【図３】
2012185372.tif 000005
【図４】
2012185372.tif 000006
【図５】
2012185372.tif 000007
【図６】
2012185372.tif 000008
【図７】
2012185372.tif 000009